(57)【要約】      （修正有）【課題】カードによる指紋照合を簡易に実現できる携帯可能電子装置を提供する。【解決手段】携帯可能電子装置１は、筐体と第１の通信部１２と指紋センサ１４と第２の通信部１５とを備える。筐体は、カードを保持する。第１の通信部は、筐体が保持するカードと通信する。指紋センサは、使用者の指紋情報を取得する。第２の通信部は、指紋センサが取得した使用者の指紋情報と第１の通信部を介して通信するカードが記憶する登録者の指紋情報との指紋照合の結果を示す情報を非接触通信により外部装置４０へ送信する。【選択図】図４
2020035360.tif 000002
【特許請求の範囲】
【請求項１】
カードを保持する筐体と、
前記筐体が保持するカードと通信する第１の通信部と、
使用者の指紋情報を取得する指紋センサと、
前記指紋センサが取得した使用者の指紋情報と前記第１の通信部を介して通信する前記カードが記憶する登録者の指紋情報との指紋照合の結果を示す情報を非接触通信により外部装置へ送信する第２の通信部と、
を備える携帯可能電子装置。
【請求項２】
さらに、前記第１の通信部、前記指紋センサ、および、前記第２の通信部へ電力を供給する電力供給部を有する、
請求項１に記載の携帯可能電子装置。
【請求項３】
前記電力供給部は、電池である、
請求項２に記載の携帯可能電子装置。
【請求項４】
前記第１の通信部により受信する前記カードからの要求に応じて前記指紋センサが取得する前記使用者の指紋情報を前記カードへ送信し、前記第１の通信部により前記カードから受信する前記使用者の指紋情報と前記登録者の指紋情報との照合結果を示す情報を前記第２の通信部により前記外部装置へ送信する制御回路を有する、
請求項１乃至３の何れか１項に記載の携帯可能電子装置。
【請求項５】
前記カードは、接触式ＩＣカードであり、
前記第１の通信部は、前記接触式ＩＣカードのコンタクト部に接触する接触端子を含むインターフェースを有し、前記接触端子に接触する前記接触式ＩＣカードとの通信を行う、
請求項１乃至４の何れか１項に記載の携帯可能電子装置。
【発明の詳細な説明】
【技術分野】
【０００１】
本発明の実施形態は、携帯可能電子装置に関する。
【背景技術】
【０００２】
近年、ＩＣカードは、セキュリティ性が高い個人認証の１つとして指紋照合を用いて認証を行うものがある。従来、クレジットカード或はキャッシュカードなどに用いられるＩＣカードは、電力を保持する電池などを持たずに外部装置から取得する電力によって動作するものが一般的である。外部装置からの電力によって動作するＩＣカードは、指紋の読取りを含む指紋照合を実行するには多くの制限がある。例えば、接触式のＩＣカードは、コンタクト部をカードリーダライタとしての外部装置に接触させた状態で指紋の読取りを実行する必要がある。また、非接触式のＩＣカードは、外部装置から取得できる電力が小さいため、指紋の読取および照合を実行するのが容易ではない。
【先行技術文献】
【特許文献】
【０００３】
【特許文献１】特開２００６−２３５７９３号公報
【発明の概要】
【発明が解決しようとする課題】
【０００４】
上記の課題を解決するために、本発明は、カードによる指紋照合を簡易に実現できる携帯可能電子装置を提供する。
【課題を解決するための手段】
【０００５】
実施形態によれば、携帯可能電子装置は、筐体と第１の通信部と指紋センサと第２の通信部とを備える。筐体は、カードを保持する。第１の通信部は、筐体が保持するカードと通信する。指紋センサは、使用者の指紋情報を取得する。第２の通信部は、指紋センサが取得した使用者の指紋情報と第１の通信部を介して通信するカードが記憶する登録者の指紋情報との指紋照合の結果を示す情報を非接触通信により外部装置へ送信する。
【図面の簡単な説明】
【０００６】
【図１】図１は、実施形態に係るカードフォルダの構成例を示す図である。
【図２】図２は、実施形態に係るＩＣカードの構成例を示す図である。
【図３】図３は、実施形態に係るカードフォルダがＩＣカードを保持した状態を示す図である。
【図４】図４は、実施形態に係るカードフォルダおよびＩＣカードの制御系の構成例を示すブロック図である。
【図５】図５は、実施形態に係るカードフォルダ、ＩＣカードおよび外部装置による第１の取引処理例のシーケンスである。
【図６】図６は、実施形態に係るカードフォルダ、ＩＣカードおよび外部装置による取引処理の操作手順を説明するための図である。
【図７】図７は、実施形態に係るカードフォルダ、ＩＣカードおよび外部装置による取引処理の操作手順を説明するための図である。
【図８】図８は、実施形態に係るカードフォルダ、ＩＣカードおよび外部装置による第２の取引処理例のシーケンスである。
【発明を実施するための形態】
【０００７】
以下、実施形態について、図面を参照しつつ説明する。  
まず、実施形態に係る携帯可能電子装置（無線通信装置）としてのカードフォルダ１の構成について概略的に説明する。  
図１は、実施形態に係る携帯可能電子装置（無線通信装置）としてのカードフォルダ１の構成例を概略的に示す図である。  
実施形態に係るカードフォルダ１は、ＩＣカード等のカードを収納するデバイスである。カードフォルダ１は、携帯可能な筐体１０を有する。カードフォルダ１が保持するカードは、登録者の指紋情報を保持し、カードフォルダ１の指紋センサ１４が読取る指紋データと登録者の指紋情報とを照合する機能を有するＩＣカードなどの電子装置である。なお、カードフォルダ１が保持するカードは、ＩＣカードに限らず、メモリカードなどのカードフォルダ１が保持可能な電子装置であっても良い。ただし、本実施形態においては、カードフォルダ１が保持するカードは、ＩＣカードであるものとして説明する。
【０００８】
図１に示す構成例において、カードフォルダ１は、カードを保持する筐体１０を有する。カードフォルダ１の筐体１０には、カード挿入口１１が設けられる。カードフォルダ１の筐体１０には、カード挿入口１１から挿入されたカードを保持する空間が設けられる。筐体１０内の空間は、カード挿入口１１から挿入されたカードを所定位置で保持するように構成される。
【０００９】
また、カードフォルダ１は、インターフェース（Ｉ／Ｆ）１２、制御回路１３、指紋センサ１４、アンテナ１５、ＬＥＤ１６、スピーカ１７、および、電力供給部１８などを有する。インターフェース１２、制御回路１３、アンテナ１５、スピーカ１７、および、電力供給部１８は、筐体１０内に設けられるため、図１では点線で図示している。また、指紋センサ１４およびＬＥＤ１６は、筐体１０の表面に一部が露出するように設けられるため、図１に実線で図示している。
【００１０】
インターフェース１２は、ＩＣカード２０と通信接続するためのインターフェースである。図１に示す構成例では、インターフェース１２は、ＩＣカード２０のコンタクト部２１と接触する接触端子１２ａを含む。インターフェース１２の接触端子１２ａは、筐体１０内のＩＣカード２２を保持するための空間を形成する面（ＩＣカードに接する面）の所定位置に設けられる。
【００１１】
制御回路１３は、筐体１０内に埋設される。制御回路１３は、カードフォルダ１の動作を制御するものである。制御回路１３は、インターフェース１２を介したＩＣカードとの通信を制御する回路およびアンテナ１５を介した外部装置との非接触（無線）による通信を制御する回路を含む。制御回路１３は、通信制御を行う回路を含む回路群で実現しても良いし、通信制御などの制御を実行するプログラムを実行するプロセッサおよび各種のメモリを含むＩＣチップで構成しても良い。
【００１２】
指紋センサ１４は、人物の指紋を読取るセンサである。指紋センサ１４は、筐体１０の表面にセンサ部分を露出した状態で筐体１０に設けられる。指紋センサ１４は、センサ部分に触れた（あるいは翳された）人物の指をスキャンして指紋データ（指紋情報）を読取るものであれば良い。
【００１３】
アンテナ１５は、筐体１０内に埋設される。アンテナ１５は、非接触通信を行うための電波を送受信する。  
ＬＥＤ１６は、点灯状態が制御され、筐体１０の表面にて点灯状態が視認できるように設置される。スピーカ１７は、音を外部に出力できるように筐体１０に設置される。ＬＥＤ１６およびスピーカ１７は、指紋照合の結果あるいは動作状態などを報知する報知器として機能する。
【００１４】
電力供給部１８は、カードフォルダ１内の各部および接触端子１２ａに接触するカードに電力を供給する。例えば、電力供給部１８は、蓄積した電力を各部へ供給する電池である。また、電力供給部１８は、アンテナ１５などを用いて外部装置から放射される電波などから電力を取得する電力生成回路であっても良い。
【００１５】
次に、実施形態に係るカードフォルダ１に挿入されるＩＣカード２０の構成について概略的に説明する。  
図２は、実施形態に係るカードフォルダ１に挿入されるＩＣカード２０の構成例を概略的に示す外観図である。  
図２に示すように、ＩＣカード２０は、プラスチックなどでカード状に形成された筐体を有する。ＩＣカード２０は、供給される電力により活性化する（動作可能な状態になる）携帯可能な電子機器である。ＩＣカード２０は、スマートカードとも称される。
【００１６】
なお、ＩＣカード２０は、大別すると、接触式ＩＣカードと非接触式ＩＣカードとがある。例えば、接触式ＩＣカードは、コンタクト部を介して動作電源及び動作クロックの供給を受けて活性化する。非接触式ＩＣカードは、アンテナ及び変復調回路（通信制御回路）などを介して受信する電波から動作電源及び動作クロックを生成して活性化する。ただし、以下の実施形態においては、ＩＣカード２０は、接触式ＩＣカードであるものとして説明する。
【００１７】
ＩＣカード２０は、カードフォルダ１に挿入可能なカード状の筐体を有する。図２に示す構成例において、ＩＣカード２０は、コンタクト部２１を有する接触式ＩＣカードである。ＩＣカード２０のコンタクト部２１は、カードフォルダ１に挿入した場合にカードフォルダ１のインターフェース１２の接触端子１２ａに接触する位置に設けられる。また、ＩＣカード２０は、コンタクト部２１を含むインターフェースに接続されたＩＣチップが筐体内に埋設される。
【００１８】
ＩＣカード２０のＩＣチップは、後述する図４に示すような制御系の構成としてのプロセッサおよび各種のメモリを有する。ＩＣカード２０のＩＣチップは、カードフォルダ１から供給される電力によって動作する。ＩＣカード２０のＩＣチップは、例えば、登録者の指紋データ（指紋情報）をメモリが記憶する機能、および、カードフォルダ１の指紋センサ１４が読取る指紋データとメモリが記憶する指紋データとの指紋照合を実行する機能などを有する。
【００１９】
次に、本実施形態に係るカードフォルダ１にＩＣカード２０を挿入した状態における構成について説明する。  
図３は、ＩＣカード２０を挿入した状態におけるカードフォルダ１の断面を示す図である。  
カードフォルダ１の筐体１０には、図３に示すように、カード挿入口１１から挿入されたＩＣカード２０を保持する空間が設けられる。カードフォルダ１は、カード挿入口１１から挿入されたＩＣカード２０を所定位置で保持する。カードフォルダ１の筐体１０内の空間には、カード挿入口１１から挿入されたＩＣカード２０のコンタクト部２１と接触する位置にインターフェース１２の接続端子１２ａが設けられる。これにより、カードフォルダ１は、筐体１０内の空間にＩＣカード２０を保持した状態において、ＩＣカード２０のコンタクト部２１とインターフェース１２の接続端子１２ａとが接触する。
【００２０】
また、図３に示すように、カードフォルダ１の筐体１０内の空間において、インターフェース１２の接触端子１２ａを設けた面に対向する面側には、弾性部材１９が設けられる。弾性部材１９は、筐体１０内に挿入したＩＣカード２０のコンタクト部２１をインターフェース１２の接触端子１２ａに押し当てる。弾性部材１９は、ＩＣカード２０のコンタクト部２１をインターフェース１２の接触端子１２ａに押し当てるものであればよく、特定の形状や材料に限定されるものではない。
【００２１】
次に、実施形態に係るカードフォルダ１およびＩＣカード２０における制御系の構成について説明する。  
図４は、実施形態に係るカードフォルダ１およびＩＣカード２０の構成例を示すブロック図である。  
カードフォルダ１は、図４に示すように、インターフェース１２、制御回路１３、指紋センサ１４、アンテナ１５、ＬＥＤ１６、スピーカ１７および電力供給部１８を有する。
【００２２】
インターフェース１２は、ＩＣカード２０のコンタクト部２１に接する接触端子１２ａを有する。インターフェース１２は、接触端子１２ａを介してコンタクト部が接するＩＣカード２０と接触通信を行うためのインターフェースである。インターフェース１２および制御回路１３は、ＩＣカード２０との接触式ＩＣカードとの通信方式による接触通信用の通信部（第１の通信部）として機能する。
【００２３】
例えば、インターフェース１２および制御回路１３は、ＩＳＯ／ＩＥＣ  ７８１６等で規定されている通信方式によりＩＣカード２０と通信する。ただし、筐体１０内の空間に保持するＩＣカード２０を非接触式のＩＣカードとする場合、インターフェース１２は、非接触式ＩＣカード用に規格化された通信方式によって非接触式のＩＣカードへ電力を供給するものとし、当該ＩＣカードとの非接触通信を行うインターフェースに置き換えても良い。
【００２４】
制御回路１３は、カードフォルダ１の動作を制御する。制御回路１３は、ＩＣカード２０との通信、および、非接触通信による外部装置４０との通信などを制御する。例えば、制御回路１３は、ＩＣカード２０との接触通信を制御する回路、および、外部装置４０との非接触通信を制御する回路などを含む回路で構成する。また、制御回路１３は、プログラムを実行するＣＰＵなどのプロセッサおよび各種のメモリを含むＩＣチップで構成しても良い。
【００２５】
指紋センサ１４は、使用者の指の指紋を読取るセンサである。指紋センサ１４は、筐体１０の表面に露出したセンサに触れた人物の指における指紋を読取り、読取った指紋の画像（指紋データ）を出力する。
【００２６】
アンテナ１５は、非接触通信を行うための電波を送受信する。アンテナ１５は、制御回路１３に接続される。アンテナ１５および制御回路１３は、非接触通信（無線通信）を行う非接触通信用の通信部（第２の通信部）として機能する。制御回路１３は、送信するデータを変調した電気信号を電波としてアンテナ１５から送信する。また、アンテナ１５は、受信した電波を電気信号として制御回路１３へ供給する。制御回路１３は、アンテナ１５から受信する電気信号を復調することによりデータを取得する。
【００２７】
例えば、アンテナ１５および制御回路１３は、ＩＳＯ／ＩＥＣ  １４４４３に準拠したＴｙｐｅＡ／Ｂなどで規定されている通信方式により外部装置４０と通信する。また、アンテナ１５および制御回路１３は、Ｂｌｕｅｔｏｏｔｈ（登録商標）などで規定されている無線通信方式により外部装置４０と通信（非接触通信）するようにしても良い。
【００２８】
ＬＥＤ１６は、発光する発光素子を有する。ＬＥＤ１６は、制御回路１３により点灯状態が制御される。スピーカ１７は、警報などの音を出力する。スピーカ１７は、制御回路１３により出力する音が制御される。ＬＥＤ１６およびスピーカ１７は、報知器（報知部）として機能する。
【００２９】
電力供給部１８は、各部に電力を供給する。電力供給部１８は、制御回路１３などのカードフォルダ１内の各部へ電力を供給し、制御回路１３などの各部を動作させる。また、電力供給部１８は、インターフェース１２の接触端子１２ａを介してＩＣカード２０へ電力を供給する機能も有する。例えば、電力供給部１８は、電力を蓄電し、蓄電している電力を各部に供給する電池である。電力供給部１８としての電池は、外部からの電力を受電して蓄電する構成を有するものであっても良い。また、電力供給部１８は、外部装置４０からの磁界を使った電磁誘導方式により生成した電力を各部へ供給するものであっても良い。
【００３０】
次に、ＩＣカード２０における制御系の構成について説明する。  
ＩＣカード２０は、図４に示すように、プロセッサ３１、ＲＯＭ３２、ＲＡＭ３３、不揮発性メモリ３４、インターフェース３５を有する。例えば、プロセッサ３１、ＲＯＭ３２、ＲＡＭ３３および不揮発性メモリ３４は、ＩＣカード２０の筐体内に埋設されるＩＣチップＣａに設けられる。また、インターフェース３５は、コンタクト部２１を含み、通信用の外部インターフェースとして機能する。ＩＣチップＣａとインターフェース３５とは接続された状態で一体的に形成されたモジュールとして形成される。モジュールは、ＩＣカード２０の筐体内に埋設される。
【００３１】
プロセッサ３１は、種々の処理を実行する回路を含む。プロセッサ３１は、例えば、ＣＰＵである。プロセッサ３１は、ＲＯＭ３２あるいは不揮発性メモリ３４に記憶されているプログラムを実行することにより、種々の処理機能を実現する。ただし、後述するプロセッサ３１が実行する各種の機能のうちの一部又は全部は、ハードウエア回路により実現されるようにしても良い。
【００３２】
ＲＯＭ３２は、プログラムメモリとして機能する不揮発性のメモリである。ＲＯＭ３２は、予め制御用のプログラムおよび制御データなどが記憶される。ＲＯＭ３２は、製造段階で制御プログラムや制御データなどが記憶された状態でＩＣカード２０内に組み込まれるものである。例えば、ＲＯＭ３２には、所定の各種のコマンドに応じた処理を実行するための各種のプログラムが記憶される。
【００３３】
ＲＡＭ３３は、ワーキングメモリとして機能する揮発性のメモリである。また、ＲＡＭ３３は、プロセッサ３１が処理中のデータなどを一時保管するバッファとしても機能する。例えば、ＲＡＭ３３は、コンタクト部２１を介してカードフォルダ１との間で送受信するデータを一時保管する通信バッファとして機能する。
【００３４】
不揮発性メモリ３４は、データの書き込み及び書換えが可能な不揮発性のメモリである。不揮発性メモリ３４は、例えば、ＥＥＰＲＯＭ（登録商標）（Electrically  Erasable  Programmable  Read  Only  Memory）あるいはフラッシュＲＯＭなどで構成する。不揮発性メモリ３４には、当該ＩＣカード２０の運用用途に応じたプログラムや種々のデータが書込まれる。例えば、不揮発性メモリ３４は、登録者の指紋データなどの認証用のデータ、ユーザデータ、あるいは、指紋照合などの個人認証処理用のプログラムなどのアプリケーションプログラムなどを記憶する。また、不揮発性メモリ３４は、一部または全部の領域が耐タンパー性を有し、セキュアにデータが格納できる。
【００３５】
インターフェース３５は、コンタクト部２１を有する。インターフェース３５は、コンタクト部２１を介して接触通信を行うためのインターフェースである。本実施形態において、コンタクト部２１は、カードフォルダ１の接触端子に対して物理的かつ電気的に接触するものである。ＩＣカード２０は、コンタクト部２１を介してカードフォルダ１から供給される電力によって動作する。また、プロセッサ３１およびコンタクト部２１を含むインターフェース３５は、カードフォルダ１と通信するための通信部を構成する。本実施形態において、インターフェース３５は、接触式ＩＣカード用に規格化された通信方式によってカードフォルダ１との通信を行うインターフェースであるものとする。ただし、インターフェース３５は、非接触式ＩＣカード用に規格化された通信方式によってカードフォルダ１から電力供給を受けてカードフォルダ１との非接触通信を行うインターフェースに置き換えても良い。
【００３６】
次に、実施形態に係るカードフォルダ１に挿入したＩＣカード２０による指紋照合を用いた取引処理について説明する。  
まず、第１の取引処理例について説明する。  
図５は、実施形態に係るカードフォルダ１に挿入したＩＣカード２０による指紋照合を用いた外部装置４０による第１の取引処理を説明するためのシーケンスである。また、図６および図７は、カードフォルダ１に挿入したＩＣカード２０による指紋照合を用いた外部装置４０による取引処理を行うための操作手順を説明するための図である。
【００３７】
外部装置４０では、ユーザ（指紋照合による認証対象者）との取引を行うオペレータが取引内容を入力操作し、取引開始を指示する。外部装置４０は、取引開始の操作に応じて、ＩＣカード２０を用いた取引処理を行うための非接触通信を開始する（Ｓ１１）。例えば、外部装置４０は、非接触通信によって通信するための応答要求を含む電波を発信し、応答要求に対する返信を待つ。なお、外部装置４０は、取引処理を開始する場合、取引処理に用いるＩＣカード２０を挿入したカードフォルダ１を通信範囲に提示する旨の案内を表示装置に表示したり、スピーカから音声で出力したりしても良い。
【００３８】
取引を開始する場合、ユーザは、図５に示すように、カードフォルダ１にＩＣカード２０を挿入することにより、ＩＣカード２０のコンタクト部２１とカードフォルダ１のインターフェース１２の接触端子１２ａとを接続させる。インターフェース１２の接触端子１２ａにＩＣカード２０のコンタクト部２１が接触すると、カードフォルダ１は、接触端子１２ａを介して電力供給部１８からの電力をＩＣカード２０へ供給する。また、カードフォルダ１は、インターフェース１２および制御回路１３によりＩＣカード２０との接触式通信を実行する（Ｓ１２）。ＩＣカード２０との通信接続が確立すると、カードフォルダ１の指紋センサ１４は、電力供給部１８からの電力供給を受けて指紋の読取りが可能な状態となる。
【００３９】
また、ユーザは、ＩＣカード２０を挿入したカードフォルダ１を外部装置４０の通信範囲に翳す。カードフォルダ１は、外部装置４０の通信範囲に翳されると、外部装置４０からの応答要求を受信し、受信した応答要求に対して返信することにより外部装置４０と非接触式通信を確立させる（Ｓ１３）。カードフォルダ１との非接触通信が確立すると、外部装置４０は、カードフォルダ１を介してＩＣカード２０と通信することが可能となる。
【００４０】
外部装置４０は、カードフォルダ１との非接触通信が確立すると、非接触式通信により本人確認要求を送信する（Ｓ１４）。これに対して、カードフォルダ１は、外部装置４０からの本人確認要求をアンテナ１５および制御回路１３により非接触通信で受信する。カードフォルダ１は、非接触通信で外部装置４０から受信した本人確認要求をインターフェース１２および制御回路１３を用いて接触通信でＩＣカード２０へ送信する（Ｓ１５）。
【００４１】
これにより、ＩＣカード２０は、カードフォルダ１を介して、外部装置４０からの本人確認要求をインターフェース３５により受信する。本人確認要求を受信すると、ＩＣカード２０のプロセッサ３１は、指紋照合による本人確認を行うため、ユーザの指紋データをカードフォルダ１へ要求する（Ｓ１６）。すなわち、ＩＣカード２０のプロセッサ３１は、インターフェース３５を介してコンタクト部２１が接触するカードフォルダ１へ指紋取得要求を送信する。
【００４２】
一方、ユーザは、指紋照合による本人認証を実行するため、図７に示すように、ＩＣカード２０を挿入したカードフォルダ１の指紋センサ１４のセンサ部分に指紋照合する指をセットする。ここでは、ユーザは、図７に示すように、ＩＣカード２０を挿入したカードフォルダ１を外部装置４０の通信範囲に翳した状態で、指紋センサ１４に指をセットするものとする。
【００４３】
カードフォルダ１の指紋センサ１４は、図７に示すように指紋センサ１４のセンサ部分にセットされた指の指紋データを読取る（Ｓ１７）。カードフォルダ１の制御回路１３は、指紋センサ１４にユーザの指をセットすることを促すために、ＬＥＤ１６を点灯（例えば点滅）させても良いし、スピーカ１７から警報音を出力したりしても良い。また、カードフォルダ１の制御回路１３は、指紋センサ１４にユーザの指をセットすることを促すために、外部装置４０に画面表示による案内あるいは音声によるアナウンスが実行させるようにしても良い。
【００４４】
指紋センサ１４が指紋データを読取ると、カードフォルダ１の制御回路１３は、指紋センサ１４が読み取った指紋データをインターフェース１２を介して接触通信でＩＣカード２０へ送信する（Ｓ１８）。
【００４５】
ＩＣカード２０のプロセッサ３１は、カードフォルダ１からユーザの指紋データを受信すると、受信した指紋データとメモリ３４に記憶している登録者の指紋データとの照合を実行する（Ｓ１９）。指紋照合が失敗した場合、ＩＣカード２０のプロセッサ３１は、所定のリトライ条件に基づいて指紋照合を再試行するかを判断する（Ｓ２０）。例えば、リトライ条件として所定回数まで指紋照合を再試行すると設定されている場合、プロセッサ３１は、リトライ回数が所定回数でなければ、指紋照合の再試行を行うと判断する。
【００４６】
指紋照合を再試行すると判断した場合（Ｓ２０、ＹＥＳ）、プロセッサ３１は、Ｓ１６へ戻り、指紋取得要求を再度カードフォルダ１へ送信する。この場合、カードフォルダ１は、再度、指紋センサ１４による指紋の読取を実行し、読取った指紋データをＩＣカード２０へ送信する。ＩＣカード２０のプロセッサ３１は、カードフォルダ１から新たに指紋センサ１４が読取った指紋データを取得し、カードフォルダ１から取得した指紋データによる指紋照合を再度実行する。
【００４７】
また、ＩＣカード２０のプロセッサ３１は、指紋照合が成功した場合、あるいは、指紋照合のリトライ条件を満たしていないと判断した場合、指紋照合を再試行しないと判断する。指紋照合を再試行しないと判断した場合（Ｓ２０、ＮＯ）、プロセッサ３１は、指紋照合の結果を外部装置４０からの本人確認要求に対する応答としてカードフォルダ１へ送る（Ｓ２１）。
【００４８】
カードフォルダ１は、インターフェース１２および制御回路１３によりＩＣカード２０からの本人確認結果としての指紋照合の結果を接触通信で受信する。ＩＣカード２０からの本人確認結果としての指紋照合の結果を受信すると、カードフォルダ１は、受信した本人確認結果としての指紋照合の結果を制御回路１３およびアンテナ１５による非接触通信で外部装置４０へ送信する（Ｓ２２）。
【００４９】
また、ＩＣカード２０からの本人確認結果としての指紋照合の結果を受信した場合、カードフォルダ１は、ＬＥＤ１６あるいはスピーカ１７を用いてＩＣカード２０からの指紋照合の結果を示す情報を報知する（Ｓ２３）。例えば、カードフォルダ１は、制御回路１３によりＩＣカード２０からの指紋照合の結果に応じてＬＥＤ１６を点灯させても良いし、スピーカ１７により音を出力しても良い。具体例としては、ＬＥＤ１６は、指紋照合が成功した場合には第１の色で点灯し、指紋照合が失敗した場合には第２の色で点灯（または点滅）するようにしても良い。
【００５０】
外部装置４０は、カードフォルダ１から、ＩＣカード２０における指紋照合の結果を本人確認結果として受信する。外部装置４０は、カードフォルダ１を介して受信したＩＣカード２０における指紋照合の結果に基づいて取引処理を実行する（Ｓ２４）。例えば、外部装置４０は、ＩＣカード２０における指紋照合が成功した旨を受信した場合には取引処理を実行し、指紋照合が失敗した旨を受信した場合には当該ＩＣカード２０を用いた取引処理を中止する。
【００５１】
次に、第２の取引処理について説明する。  
上述した第１の取引処理では、外部装置４０からの本人確認要求を受けてカードフォルダ１による指紋データの読取およびＩＣカードによる指紋照合を実施するものとしたが、カードフォルダ１による指紋データの読取およびＩＣカードによる指紋照合は、外部装置４０からの本人確認要求を受ける前に実施しても良い。以下、第２の取引処理として、カードフォルダ１にＩＣカード２０が挿入された場合、カードフォルダ１による指紋データの読取およびＩＣカードによる指紋照合を実行する処理例について説明する。
【００５２】
なお、以下に説明する第２の取引処理は、上述した図１乃至図４に示す構成のカードフォルダ１およびＩＣカード２０で実現できるが、外部装置４０からの電力を受けることなく、カードフォルダ１による指紋データの読取およびＩＣカードによる指紋照合を実行する形態とする場合には電力供給部１８は電池で構成されるものとする。
【００５３】
図８は、実施形態に係るカードフォルダ１に挿入したＩＣカード２０による指紋照合を用いた外部装置４０による第２の取引処理を説明するためのシーケンスである。  
まず、ユーザがカードフォルダ１にＩＣカード２０を挿入すると、インターフェース１２の接触端子１２ａにＩＣカード２０のコンタクト部２１が接触する。カードフォルダ１は、接触端子１２ａとＩＣカード２０のコンタクト部２１とが接触すると、接触端子１２ａを介して電力供給部１８からの電力をＩＣカード２０へ供給する。これにより、ＩＣカード２０が起動し、カードフォルダ１は、インターフェース１２および制御回路１３によるＩＣカード２０との接触式通信を実行する（Ｓ３１）。
【００５４】
ＩＣカード２０のプロセッサ３１は、カードフォルダ１との接触接続が確立すると、使用者（ユーザ）の指紋データをカードフォルダ１へ要求する（Ｓ３２）。すなわち、プロセッサ３１は、カードフォルダ１との接触接続が確立すると、インターフェース３５を介してカードフォルダ１へ指紋取得要求を送信する。
【００５５】
カードフォルダ１は、ＩＣカード２０からの指紋取得要求に応じて、指紋センサ１４による指紋データの読取を実行する（Ｓ３３）。ここで、カードフォルダ１の制御回路１３は、ＬＥＤ１６あるいはスピーカ１７により指紋センサ１４にユーザの指をセットすることを促す案内を報知するようにしても良い。指紋センサ１４が指紋データを読取ると、カードフォルダ１は、インターフェース１２および制御回路１３により指紋センサ１４が読み取った指紋データを接触通信でＩＣカード２０へ送信する（Ｓ３４）。
【００５６】
カードフォルダ１からユーザの指紋データを受信すると、ＩＣカード２０のプロセッサ３１は、受信した指紋データと不揮発性メモリ３４に記憶している登録者の指紋データとの照合を実行する（Ｓ３５）。プロセッサ３１は、指紋照合が失敗した場合、所定のリトライ条件に基づいて指紋照合を再試行するかを判断する（Ｓ３６）。
【００５７】
指紋照合を再試行すると判断した場合（Ｓ３６、ＹＥＳ）、プロセッサ３１は、Ｓ３２へ戻り、指紋取得要求を再度カードフォルダ１へ送信する。これにより、カードフォルダ１は、再び指紋センサ１４による指紋の読取を実行し、読取った指紋データをＩＣカード２０へ送信する。ＩＣカード２０のプロセッサ３１は、カードフォルダ１から新たに指紋センサ１４が読取った指紋データを取得し、カードフォルダ１から取得した指紋データによる指紋照合を再度実行する。
【００５８】
また、ＩＣカード２０のプロセッサ３１は、指紋照合が成功した場合、あるいは、指紋照合のリトライ条件を満たしていないと判断した場合、指紋照合を再試行しないと判断する（Ｓ３６、ＮＯ）。指紋照合を再試行しないと判断した場合、プロセッサ３１は、指紋照合の結果を不揮発性メモリ３４あるいはＲＡＭ３３に保持（記憶）する（Ｓ３７）。さらに、プロセッサ３１は、使用者に対して指紋照合の結果を報知するために、カードフォルダ１に指紋照合の結果を報知する旨の要求（照合結果報知要求）を送信する（Ｓ３８）。
【００５９】
カードフォルダ１は、ＩＣカード２０からの照合結果報知要求に応じて、ＬＥＤ１６あるいはスピーカ１７を用いて照合結果を示す情報を報知する（Ｓ３９）。例えば、カードフォルダ１は、制御回路１３によりＩＣカード２０からの指紋照合の結果に応じてＬＥＤ１６を点灯させる。これにより、カードフォルダ１のＬＥＤ１６を見れば、ＩＣカード２０による指紋照合が成功した状態であるか否かを使用者が簡易に確認できる。
【００６０】
一方、外部装置４０では、ユーザ（指紋照合による認証対象者）との取引を行うオペレータが取引内容を入力操作し、取引開始を指示する。外部装置４０は、取引開始の操作に応じて、ＩＣカード２０を用いた取引処理を行うための非接触通信を開始する（Ｓ４１）。例えば、外部装置４０は、非接触通信によって通信するための応答要求を含む電波を発信し、応答要求に対する返信を待つ。
【００６１】
ここで、ユーザが、ＩＣカード２０による指紋照合が完了したカードフォルダ１を外部装置４０の通信範囲に翳すものとする。外部装置４０の通信範囲に翳されたカードフォルダ１は、アンテナ１５により外部装置４０からの応答要求を受信し、受信した応答要求に対して返信することにより外部装置４０と非接触式通信を確立させる（Ｓ４２）。
【００６２】
外部装置４０は、カードフォルダ１との非接触通信が確立すると、非接触式通信により本人確認要求を送信する（Ｓ４３）。これに対して、カードフォルダ１は、外部装置４０からの本人確認要求をアンテナ１５および制御回路１３により非接触通信で受信する。カードフォルダ１は、非接触通信で外部装置４０から受信した本人確認要求をインターフェース１２および制御回路１３を用いて接触通信でＩＣカード２０へ送信する（Ｓ４４）。
【００６３】
ＩＣカード２０は、カードフォルダ１を介して、外部装置４０からの本人確認要求をインターフェース３５により受信する。本人確認要求を受信すると、ＩＣカード２０のプロセッサ３１は、メモリ３４に保存している指紋照合の結果を本人確認要求に対する応答としてカードフォルダ１へ送信する（Ｓ４５）。
【００６４】
カードフォルダ１は、インターフェース１２および制御回路１３によりＩＣカード２０からの本人確認結果としての指紋照合の結果を接触通信で受信する。ＩＣカード２０からの本人確認結果としての指紋照合の結果を受信すると、カードフォルダ１は、受信した本人確認結果としての指紋照合の結果を制御回路１３およびアンテナ１５による非接触通信で外部装置４０へ送信する（Ｓ４６）。ここで、カードフォルダ１は、ＬＥＤ１６あるいはスピーカ１７を用いてＩＣカード２０からの指紋照合の結果を外部装置４０へ送信したことを報知するようにしても良い。
【００６５】
外部装置４０は、カードフォルダ１からＩＣカード２０における指紋照合の結果を本人確認結果として受信すると、受信した指紋照合の結果に基づいて取引処理を実行する（Ｓ４７）。例えば、外部装置４０は、ＩＣカード２０における指紋照合が成功した旨を受信した場合には取引処理を実行し、指紋照合が失敗した旨を受信した場合には当該ＩＣカード２０を用いた取引処理を中止する。
【００６６】
なお、上述した第２の取引処理において、カードフォルダ１は、ＩＣカード２０から指紋照合の結果を受信し、ＩＣカード２０における指紋照合の結果を保持しておくようにしても良い。この場合、カードフォルダ１は、外部装置４０からの本人確認要求に対してカードフォルダ１から指紋照合の結果を出力するようにしても良い。これにより、Ｓ４４およびＳ４５の処理は省略することが可能となる。
【００６７】
上記のように、実施形態に係るカードフォルダは、登録者の指紋情報を記憶するカードに接続する第１の通信部としての接触通信部、使用者の指紋を読取る指紋センサ、および、本人確認を要求する外部装置と通信する第２の通信部としての非接触通信部を有する。カードフォルダは、第２の通信部により外部装置と非接触通信を行うとともに、第１の通信部によりＩＣカードと接触通信を行う。また、カードフォルダは、カードからの要求に応じて指紋センサにより使用者の指紋を読取り、指紋センサで読取った指紋情報をカードへ送信する。
【００６８】
これにより、ＩＣカードあるいは取引端末などの外部装置に指紋センサを設けることなく、ＩＣカードにおいて生体認証情報である指紋情報を使った安全な本人確認が実現できる。また、カードフォルダは、ＩＣカードのように既存の規格等で規定されているカードのサイズ（厚さも含む）などの物理的な制約に限定されずに、指紋センサおよび電力供給部などの各部を容易に搭載できる。また、カードフォルダは、ＩＣカードに比べてサイズなどの制約が少ないため、曲げ或はねじれなどの過酷な使用環境に対して耐久性を高く設計することが容易である。
【００６９】
さらに、本人確認としての指紋照合を実行するＩＣカードおよび自体は既存のハードウエア構成を有するもので実現でき、本人確認などが必要な取引処理を行う外部装置も既存の構成を有するもので実現できるため、全体として安価にシステムを構築でき、既にインフラとして普及している外部装置などを交換することなく運用できる。また、外部装置で指紋情報を読取る必要がなく、読取った指紋情報およびＩＣカードが記憶する登録者の指紋情報を外部に送信する必要もないため、指紋情報を盗み取られるリスクが低減でき、高いセキュリティを実現できる。
【００７０】
上述の各実施形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…カードフォルダ（携帯可能電子装置）、１０…筐体、１１…カード挿入口、１２…インターフェース（第１の通信部）、１２ａ…接触端子、１３…制御回路、１４…指紋センサ、１５…アンテナ（第２の通信部）、１８…電力供給部（電池）、２０…ＩＣカード、２１…コンタクト部、４０…外部装置。
【図１】
2020035360.tif 000003
【図２】
2020035360.tif 000004
【図３】
2020035360.tif 000005
【図４】
2020035360.tif 000006
【図５】
2020035360.tif 000007
【図６】
2020035360.tif 000008
【図７】
2020035360.tif 000009
【図８】
2020035360.tif 000010